(57)【要約】    【課題】  メダルの補給作業を妨げることなく遊技中の利便性を維持可能であり、メダル移送途中やメダル払い出し装置との接続部分におけるメダル詰まりのトラブルを無くし、しかも簡易な構造である投入移送手段を有するメダル貸し出し機を提供すること。    【解決手段】  メダル送り装置(32)を、貸し出し機本体(20)に対して回転可能に形成し、前記投入移送手段(40)を、前記メダル送り装置(32)に固定し、前記メダル送り装置(32)は前記投入移送手段(40)と一体的に回転可能であり、前記投入移送手段(40)は前記遊技機の前面から外れる位置まで移動自在に形成した。    【選択図】    図３
2005143866.tif 000002
【特許請求の範囲】
【請求項１】
遊技機に隣接して配置されるメダル貸し出し機であって、
遊技メダルを貸し出し機本体の外部へと送り出すメダル送り装置を少なくとも有するメダル払い出し装置と、前記メダル送り装置から送り出された遊技メダルを、前記遊技機へと誘導する移送路となる投入移送手段とを少なくとも備えたメダル貸し出し機において、
前記メダル払い出し装置のうち少なくとも前記メダル送り装置を、貸し出し機本体に対して回転可能に形成し、
前記投入移送手段を、前記メダル送り装置に固定し、
前記メダル送り装置は前記投入移送手段と一体的に回転可能であり、前記投入移送手段は前記遊技機の前面から外れる位置まで移動自在に形成されていることを特徴とするメダル貸し出し機。
【請求項２】
前記メダル払い出し装置には、遊技メダルを貯留可能な貯留タンクが設けられており、
前記貯留タンクは前記メダル送り装置と一体的に回転可能に形成されていることを特徴とする請求項１記載のメダル貸し出し機。
【請求項３】
前記メダル送り装置は、遊技メダルを嵌入する複数のメダル孔を有し、このメダル孔に嵌入した遊技メダルを外部へと送り出す送り出し円板と、この送り出し円板を回転させるための駆動モータを備え、
前記駆動モータによって回転する送り出し円板の回転軸と同軸で、貸し出し機本体に対して回転可能に形成されていることを特徴とする請求項１又は２記載のメダル貸し出し機。
【請求項４】
前記メダル送り装置のメダル送り出し口は、前記遊技機のメダル投入口よりも高い位置となるよう配置されており、
前記投入移送手段は、前記メダル送り装置のメダル送り出し口から前記遊技機のメダル投入口まで連続する連通路であることを特徴とする請求項１乃至３のいずれか１項に記載のメダル貸し出し機。
【発明の詳細な説明】
【技術分野】
【０００１】
本発明は、メダルを遊技媒体とする遊技機に隣接して設置されるメダル貸し出し機、例えばスロットマシンに使用する遊技メダルのメダル貸し出し機に関する。
【背景技術】
【０００２】
従来、スロットマシンなどの遊技機でゲームを行う場合にはメダル貸し出し機が使用される。このメダル貸し出し機は内部にディスク回転式ホッパーなどのメダル払い出し装置が設けられており、紙幣等が投入されるとメダル払い出し装置が駆動して所定枚数のメダルが払い出される。このようなメダル貸し出し機には、通常はメダル受け皿が設けられており、メダル払い出し装置から排出された遊技メダルは、メダル受け皿に払い出されるようになっていた。
そして、遊技者がメダル貸し出し機からスロットマシンの受け皿などに遊技メダルを移動する手間を軽減するため、ガイドノズルが設けられたメダル貸し出し機が考案されている。このようなメダル貸し出し機の中には、メダル払い出し装置から払い出された遊技メダルを、スロットマシンのメダル受け皿又はメダル投入口に直接誘導して払い出されるものが存在する（特許文献１参照）。このようなメダル貸し出し機では、特に、所定枚数の遊技メダルを予めクレジットとして投入可能に形成されているスロットマシンにおいて、遊技開始時に、遊技者がメダル貸し出し機から遊技メダルを移動させたり、メダル投入口に手投入するという作業を省く事ができるため、効率良く遊技ができる上、メダル投入によって生じる手の汚れを防止することが可能である。このようなシステムは運営者側にとっても、遊技時間の効率化により収益が増加するため双方にとってのメリットが大きい。
【０００３】
一方、現在のスロットマシンでは通常、内部に、投入遊技メダル及び払い出し遊技メダルを貯留するためのメダル貯留タンクが設けられており、ゲームの進行上、投入した遊技メダルよりも入賞により払い出されるメダルが多くなった場合には、メダル貯留タンクにメダルを補給する作業が必要となっている。この補給作業はスロットマシンの前扉を開閉することにより行われるが、前述したガイドノズルを有するタイプのメダル貸し出し機では、ガイドノズル自体が前扉の開閉の邪魔になってしまう。このような問題を解決するために、ガイドノズル自体を伸縮自在に形成したり（特許文献２参照）、折り曲げ可能に形成したメダル貸し出し機が存在する。
【特許文献１】特開２００３−２６５８４５号公報
【特許文献２】特開２００３−２３０２５７号公報（図２）
【発明の開示】
【発明が解決しようとする課題】
【０００４】
しかしながら、上記した特許文献２のガイドノズルの構造では、ガイドノズルを複数の部品で形成しなければならず、ガイドノズルを折り曲げ可能に形成する場合には、折り曲げるために複雑な構造となってしまうことが多い。このため、複数部品を繋ぎ合わせた場合の継ぎ目部分や、ヒンジなどを用いて折り曲げるときの屈曲部分にメダルが詰まるという現象が生じることがあり、そうした現象はゲーム進行の妨げになる。また、ガイドノズル自体を着脱自在に形成しても、メダル払い出し装置の排出口とガイドノズルとの接続に不具合があった場合には、メダル詰まりが発生する可能性がある。さらに、製造工程においても、部品点数が多くなることによるコスト面での問題も懸念されていた。
【０００５】
そこで、各請求項に記載の各発明は、上記問題点を解決すべくなされたものであり、その目的とするところは、メダルの補給作業を妨げることなく遊技中の利便性を維持可能であり、メダル移送途中やメダル払い出し装置との接続部分におけるメダル詰まりのトラブルを無くし、しかも簡易な構造である投入移送手段を有するメダル貸し出し機を提供することにある。
【課題を解決するための手段】
【０００６】
本発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、遊技機に隣接して配置されるメダル貸し出し機であって、遊技メダルを貸し出し機本体(20)の外部へと送り出すメダル送り装置(32)を少なくとも有するメダル払い出し装置(30)と、前記メダル送り装置(32)から送り出された遊技メダルを前記遊技機へと誘導する移送路となる投入移送手段(40)とを少なくとも備えたメダル貸し出し機(2)に係る。
【０００７】
ここで、「遊技機」としては、メダルを遊技媒体とする遊技機であって、好ましくは正面側にメダル投入口を有する遊技機、例えばスロットマシンなどが適している。
本発明に係るメダル貸し出し機(2)は、前記のメダル払い出し装置(30)の他に、紙幣、硬貨、プリペイドカードなどを投入するための投入口や、払い出しスイッチや、紙幣カウンター(22)などを有していてもよい。また、メダル払い出し装置(30)から払い出される遊技メダルは、メダル貸し出し機(2)の内部に設けた貯留タンク(31)から供給されるものであってもよいし、外部に設けたメダル供給装置から払い出し装置(30)に供給されるものであってもよい。
【０００８】
前記メダル払い出し装置(30)は、メダル送り装置(32)以外の装置、例えば貯留タンク(31)などを有していても構わない。メダル送り装置(32)は、遊技メダルを好ましくは一枚ずつ送り出し可能なものであって、具体的にはディスク回転式ホッパーやベルト式メダル送り装置とすることができる。
そして、前記投入移送手段(40)は、前記メダル払い出し装置(30)から隣接する遊技機へと遊技メダルを移送するためのものであって、例えば管状や樋状の移送通路のような、遊技メダルが自重で移動するものの他、搬送ベルトなど駆動手段を用いて遊技メダルを移動させるための装置を有しているものであってもよい。なお、「遊技機へと移送」とあるのは、遊技機のメダル投入口(10)や払い出しメダル皿(7)など、遊技機の所定の場所に移送することを含むものである。
【０００９】
そして本発明は、前記メダル払い出し装置(30)のうち少なくとも前記メダル送り装置(32)を、貸し出し機本体(20)に対して回転可能に形成し、前記投入移送手段(40)を、前記メダル送り装置(32)に固定し、前記メダル送り装置(32)は前記投入移送手段(40)と一体的に回転可能であり、前記投入移送手段(40)は前記遊技機の前面から外れる位置まで移動自在に形成されていることを特徴とする。
ここで、「少なくとも前記メダル送り装置(32)を・・・回転可能」とあるのは、メダル払い出し装置(30)の構成部材のうち、メダル送り装置(32)以外の部材（例えば貯留タンク(31)）や、メダル払い出し装置(30)全体が回転可能であることも含む趣旨である。なお、前記投入移送手段(40)は、メダル送り装置(32)から排出される遊技メダルを受け入れ可能な位置に固定されている。
【００１０】
また、メダル送り装置(32)が投入移送手段(40)と「一体的に回転可能」とは、投入移送手段(40)を回転移動させた場合にはメダル送り装置(32)も同時に回転移動するように形成されていることであり、両者の回転軸が一致する場合のみならず、共通する場合も含む。
またここで、投入移送手段(40)が「前記遊技機の前面から外れる位置」とは、正面から見たときに、投入移送手段(40)の全体が、遊技機の前面と重ならない位置のことであり、遊技機が正面に前扉(5)を有している場合には、投入移送手段(40)がこの前扉(5)の開閉を阻害しない位置を意味する。
なお、投入移送手段(40)の移動方向は、上下左右、斜め方向のいずれであってもよいが、想定されるメダル送り装置(32)の形態（ディスク回転式ホッパーやベルト式メダル送り装置）に鑑み、あるいは遊技者が遊技機正面に座したまま操作が行えるよう、左右方向とするのが好ましい。すなわち、投入移送手段(40)の回転軸が遊技機の設置面に対してほぼ垂直となるよう形成するのが好ましい。
【００１１】
（作用）
本発明においては、メダル貸し出し機(2)から遊技機の例えばメダル投入口(10)に遊技メダルを移送したい場合には、投入移送手段(40)を遊技機側に移動させて払い出しメダルを直接遊技機に投入することができ、メダル移送後や遊技中には、投入移送手段(40)を遊技機に接触しない位置、あるいは前扉(5)の開閉に邪魔にならない位置まで移動可能である。すなわち、投入移送手段(40)に所定方向に力を加えると、投入移送手段(40)に加えられた力がメダル送り装置(32)に回転力として伝わり、投入移送手段(40)とメダル送り装置(32)とは同一方向に一体的に回転動作する。従って、投入移送手段(40)に、移動自在とするための折れ曲がり部や接続部を設ける必要が無く、さらに投入移送手段(40)とメダル送り装置(32)とが相対的に同一位置を保ったまま回転移動するので、メダル送り装置(32)から投入移送手段(40)へと遊技メダルを送り出す部分が移動によりずれることなく、メダル詰まりなどのトラブルを防ぐことができる。
【００１２】
なお、メダル送り装置(32)の回転は、上述のような手動回転の他に、モータ制御等による自動回転とすることができる。自動回転の場合には、状態に応じて適正な位置に確実に投入移送手段(40)を配置することができる。
また、手動回転若しくは自動回転の動きを規制するロック手段を設け、遊技機の前扉を開けるときなど、必要に応じて規制解除することにより、メダル送り装置(32)が回動可能となるようにしてもよい。このようにすれば、悪戯して投入移送手段(40)を不適切な位置に移動させられたり、破損される危険性を抑制できる。
（請求項２）
（特徴点）
請求項２記載の発明は、上記した請求項１記載の発明の特徴点に加え、次の点を特徴とする。
【００１３】
すなわち、請求項２記載の発明は、前記メダル払い出し装置(30)は、遊技メダルを貯留可能な貯留タンク(31)が設けられており、前記貯留タンク(31)は前記メダル送り装置(32)と一体的に回転可能に形成されていることを特徴とする。
本発明においては、前記メダル送り装置(32)と前記貯留タンク(31)とが一体形成されていても構わない。また、貯留タンク(31)はある程度の大きさが必要であるところ、円筒形に形成すると、メダル貸し出し機(2)の内部で回転させるのに好適である。
（請求項３）
（特徴点）
請求項３記載の発明は、上記した請求項１又は２記載の発明の特徴点に加え、次の点を特徴とする。
【００１４】
すなわち、請求項３記載の発明は、前記メダル送り装置(32)は、遊技メダルを嵌入する複数のメダル孔(34a)を有し、このメダル孔(34a)に嵌入した遊技メダルを外部へと送り出す送り出し円板(34)と、この送り出し円板(34)を回転させるための駆動モータ(37)を備え、前記駆動モータ(37)によって回転する送り出し円板(34)の回転軸と同軸で、貸し出し機本体(20)に対して回転可能に形成されていることを特徴とする。
本発明は、メダル送り装置(32)を、いわゆるディスク回転式ホッパーに限定したものである。
ここで、「送り出し円板(34)の回転軸と同軸で回転可能」とは、メダル送り装置(32)が貸し出し機本体(20)に対して回転する回転中心と、送り出し円板(34)の回転中心とが同一であることを意味するものであり、送り出し円板(34)の回転中心は必ずしも駆動モータ(37)の回転軸(36)と同軸でなくともよい。
【００１５】
（作用）
本発明においては、メダル送り装置(32)に固定されている投入移送手段(40)は、送り出し円板(34)と同軸で回動可能となる。このため、送り出し円板(34)のメダル排出部(35)と投入移送手段(40)とを直接連結するように固定することができ、メダル排出部(35)と投入移送手段(40)との継ぎ目に遊技メダルが引っかかってメダル詰まりを起こすようなことがない。
（請求項４）
（特徴点）
請求項４記載の発明は、上記した請求項１乃至３のいずれか１項に記載の発明の特徴点に加え、次の点を特徴とする。
【００１６】
すなわち、請求項４記載の発明は、前記メダル送り装置(32)のメダル送り出し口（メダル排出部(35)）は、前記遊技機のメダル投入口(10)よりも高い位置となるよう配置されており、前記投入移送手段(40)は、前記メダル送り装置(32)のメダル送り出し口から前記遊技機のメダル投入口(10)まで連続する連通路であることを特徴とする。
ここで、「連続する連通路」とは、メダル送り装置(32)のメダル送り出し口から遊技機のメダル投入口(10)まで連通路に継ぎ目がない意味であり、投入移送手段(40)自体は必ずしも一体成形されていなくともよい。
（作用）
本発明によれば、メダル送り装置(32)から排出された遊技メダルは、移送通路の下方にあるメダル排出側に向かって自重で落下又は転送されていく。移送通路は継ぎ目がないので途中で遊技メダルが詰まることもなく、メダルの移送構造を別途必要とすることもない。
【発明の効果】
【００１７】
本願発明によれば、メダルの補給作業を妨げることなく遊技中の利便性を維持可能であり、メダル移送途中やメダル払い出し装置との接続部分におけるメダル詰まりのトラブルを無くし、しかも簡易な構造である投入移送手段を有するメダル貸し出し機を提供することができる。
【発明を実施するための最良の形態】
【００１８】
本発明の好適な実施の形態を、スロットマシン用メダル貸し出し機を例に、図面に基づき説明する。
（図面の説明）
図１乃至図１４は、本発明の実施の形態を示す。図１はスロットマシン及びメダル貸し出し機の設置状態を示す斜視図であり、図２はメダル貸し出し機の内部構造を示す斜視図、図３乃至図７はガイドノズルの回動を示す図であり、図８乃至図１２はメダル投入口を示す図、図１３はメダル送り装置の他の例を示す概略図、図１４はメダル払い出し装置の他の例を示す斜視図である。
【００１９】
本実施の形態におけるメダル貸し出し機２は、図１に示すように、スロットマシン１に隣接して設置され、一台のスロットマシンに一機ずつ対応するように設けられている。
（スロットマシン１）
スロットマシン１は、図１に示すように、筐体および筐体の正面側に取り付けられた前扉５から形成され、正面側には回転リール（図示しない）の図柄を視認可能な図柄表示窓６が形成されている。そして、この図柄表示窓６の下方でありスロットマシン１の略中央部は、スタートスイッチやストップスイッチなどの操作手段（図示せず）が設けられた操作部となっており、操作部の右端部には、遊技メダルを投入するためのメダル投入口10が設けられている。また、スロットマシン１の下部には、払い出されたメダルを貯留可能な払い出しメダル皿７が設けられている。そして、メダル投入口10から遊技メダルを投入し、スタートスイッチの操作により回転リールを回転させ、ストップスイッチの操作により回転リールを停止させる。このとき、複数の回転リールに表示された図柄が所定の位置態様に停止すると入賞となり、所定枚数のメダルが払い出されるように形成されているものである。
【００２０】
（メダル投入口10）
ここで、前記メダル投入口10は、図８に示すように、前扉５の操作部上面に設けられたメダル落下孔11の上方に、投入口本体12を設置した構成になっている。投入口本体12は、遊技メダルを上方から一枚ずつ落とし込み可能な投入スリット12aと、この投入スリット12aに遊技メダルを誘導可能なメダル誘導溝12bと、後述するガイドノズル41から移送される遊技メダルを投入スリット12aに誘導するための側方スリット12cを有している。
メダル投入口10に遊技メダルを手で投入する場合には、メダル誘導溝12bに遊技メダルを並べて設置し、手前側から押すようにすれば、最前列の遊技メダルから順次一枚ずつ投入スリット12aに落下していく（図１１（ａ）参照）。落下した遊技メダルは、メダル落下孔11を通り、メダルセレクター（図示せず）を経て、スロットマシン１内部に貯留される。
【００２１】
一方、メダル貸し出し機２から払い出される遊技メダルを直接メダル投入口10に投入する場合には、ガイドノズル41のメダル排出口44を側方スリット12cに合致させて、ガイドノズル41により移送されてくる遊技メダルを投入スリット12aに誘導する。
（メダル貸し出し機２）
メダル貸し出し機２は、スロットマシン１の側面側に隣接して設置された箱型の装置であって、金銭と引き替えにメダルを貸し出し、その貸し出されたメダルを、自動的にスロットマシン１のメダル投入口10に投入するための装置である。すなわち、メダル貸し出し機２は、図２に示すように、外箱20に、メダル払い出し装置30、紙幣カウンター24およびこれらの作動を制御するための制御装置（図示せず）が内蔵されているとともに、外箱20の前面には、メダル補給口22、紙幣投入口23が形成されている。また、外箱20の内部から外箱20の手前側に向かって、投入移送手段40としてのガイドノズル41が突出しており、このガイドノズル41の先端部42は隣接するスロットマシン１のメダル投入口10にまで延設されている。
【００２２】
前記メダル補給口22は、通常時は図１に示すように蓋が閉めてあるが、メダル補給時には図２に示すように蓋を手前側に倒し、開口部から遊技メダルを貸し出し機内部（具体的には、後述する貯留タンク31）に投入できるようになっている。
前記紙幣カウンター24は、紙幣投入口23から投入された紙幣を読み取って、メダル貸し出し機２に所定枚数のメダルを払い出させるためのものである。なお、メダル貸し出し機２としては、紙幣投入口23及び紙幣カウンター24の他に、硬貨投入口や硬貨カウンター、釣り銭払い出し口などを有していてもよい。また、プリペイドカード投入口とカードリーダーを有していてもよい。
【００２３】
前記制御装置は、紙幣カウンター24のほか、払い出しメダルをカウントするためのセンサおよびメダルの排出タイミングを計るタイミングセンサ等が設けられており、所定枚数の遊技メダルを払い出したらメダル払い出し装置30の作動を停止させる。
（メダル払い出し装置30）
メダル払い出し装置30は、外箱20の内部に固定され遊技メダルを貯留するための貯留タンク31と、この貯留タンク31内に貯留されたメダルを１枚ずつ排出するメダル送り装置32とを備える。メダル送り装置32は、図４及び図７に示すように、板状のベース33と、ベース33に回転可能に支持され、遊技メダルが上方より１枚ずつ嵌り込む複数個、ここでは５個のメダル孔34aを有する送り出し円板34と、この送り出し円板34を回転軸36を介して回転させる駆動モータ37とを備えている。また、前記ベース33の上方には、貯留タンク31に貯留されている遊技メダルを送り出し円板34に適量供給するための、円筒状のメダル誘導部38が設けられている。
【００２４】
ここで、前記ベース33及び送り出し円板34は、メダル誘導部38に対して、側方斜め状態（図示した例では送り出し円板34の上面が床面に対して水平よりもやや左側に傾いた状態）で取り付けられている。前記駆動モータ37の本体はベース33の底部に固定されている。
また、前記メダル誘導部38は、前記貯留タンク31の底部に回転可能に取り付けられている。具体的には、図４のＡ−Ａ線断面図を表す図５に示すように、貯留タンク31の底部開口には円筒状のリブが形成されており、このリブの下端部に、外側に張り出すフランジ状の凸片31aが設けてある。一方メダル誘導部38の上端部には、筒内側に張り出すフランジ状の凸片38aが形成されている。そして、前記凸片部31aの外側上方から凸片38aが係合することにより、メダル誘導部38が貯留タンク31の下側に取り付けられると共に、凸片38aが凸片31aによりガイドされ、メダル誘導部38が貯留タンク31に対して回転可能となる。すなわち、メダル送り装置32は、貯留タンク31の下方に、ぶら下がるように取り付けられているものである。なお、メダル誘導部38の回転をスムーズに行わせるため、前記凸片38a及び凸片31aの間にベアリングなどを設けると好ましい。
【００２５】
そして、前記駆動モータ37の駆動力により送り出し円板34が回転軸36を中心に回転し、送り出し円板34のメダル孔34aに嵌入した遊技メダルが、ベース33の送り出し円板34底面と対向する面から上方に突出したブロッカーピン（図示せず）に当設して進路変更し、送り出し円板34の回転に伴い一枚ずつメダル排出部35から外部に排出されるよう形成されている。
さらに、前記ベース33には投入移送手段40としてのガイドノズル41が固定されており、メダル送り装置32はガイドノズル41と一体的に回転可能に形成されているものであるが、この詳細については後述する。
【００２６】
なお、メダル払い出し装置30は、前記メダル送り装置32が隣接するスロットマシン１のメダル投入口10よりも高い位置に設置されるように取り付けられている。
（ガイドノズル41）
ガイドノズル41は、前記メダル送り装置32のメダル排出部35から排出された遊技メダルを、スロットマシン１のメダル投入口10まで誘導するためのものである。具体的には、ガイドノズル41は、図２に示すように外箱20の前面に形成された開口20Aから手前側に突設され、図１に示すようにメダル投入口10まで届くように途中湾曲して延設されており、メダル払い出し装置30から払い出される遊技メダルが自重で落下又は転送可能な管状の通路41a（図５参照）を有している。
【００２７】
ここで、前述したように、送り出し円板34は側方に傾斜して取り付けられているので、メダル排出部35から排出される遊技メダルも側方斜め状態となる。ガイドノズル41は、この側方斜め状態にて排出された遊技メダルが、メダル投入口10に到達するまでの間に横方向に立設状態（遊技メダルの表裏面が正面側を向くよう起立すること）となるよう、縦方向にひねりを加えた平面略Ｊ字型に形成されている。
このガイドノズル41の先端部43には、図７に示すように、遊技メダルを立設状態で排出可能なメダル排出口44が形成されている。ガイドノズル41は、メダル払い出し時に、このメダル排出口44がメダル投入口10の側方スリット12cの位置と合致するように位置調整される。
【００２８】
そして、図５に示すように、ガイドノズル41の元部42は、前記通路41aのメダル受け入れ側が、メダル排出部35に連通するように、ベース33に固定されている。ガイドノズル41とベース33とが一体形成されていてもよい。すなわち、ガイドノズル41は、駆動モータ37により回転軸36が回転する場合には回転しないが、ガイドノズル41に外部から回転力が加えられた場合には回転可能となっているものである。つまり、ガイドノズル41を回転させると、メダル送り装置32も一体的に回転する構造になっている。
この構造につき、さらに詳述する。まず、ガイドノズル41がメダル投入口10に遊技メダルを移送可能な位置にあるとき、メダル送り装置32を平面側から見ると、図４に示すように、回転軸36すなわち送り出し円板34の中心軸Ｃ２はガイドノズル41の元部42の幅方向の中心軸Ｃ３と直交している。この二つの中心軸Ｃ２、Ｃ３の交点をＰとする。さらにこれを正面側から見ると、図７に示すように、メダル誘導部38の垂直方向の中心軸Ｃ１は、前記交点Ｐと一致し、前記中心軸Ｃ１、Ｃ２、Ｃ３が、メダル排出部35の中心部にて交差するようになっている。
【００２９】
次に、ガイドノズル41を、図４及び図７における白矢印方向に押しやると、ガイドノズル41と固定されているベース33と、ベース33に固定されている駆動モータ37及びメダル誘導部38にはこれが交点Ｐを中心とする回転力となって及ぶ。するとメダル誘導部38は、中心軸Ｃ１を中心に貯留タンク31下部の円筒状のリブに沿って水平方向に回転し、駆動モータ37とベース33（及び内部の送り出し円板34）は、図４に二点鎖線で示すように、前記交点Ｐを中心にガイドノズル41の回転角度と同じ角度だけ回転する。これを正面側から見ると、図７に二点鎖線で示すようになる。
このように、ガイドノズル41がベース33に固定されており、前記中心軸Ｃ１、Ｃ２、Ｃ３の交点が一致するよう形成されていることから、ガイドノズル41に与えられた横方向の力がメダル送り装置32に無駄なく回転力として伝達されるものである。
【００３０】
ところで、ガイドノズル41が回転可能な角度すなわち回動角度は、図６（ａ）及び図６（ｂ）に示すように、ガイドノズル41の先端部43が投入口本体12の側方スリット12cに接触している位置から、先端部43がスロットマシン１の正面から外れる位置、すなわちスロットマシン１の前扉５を開く際にガイドノズル41が干渉しない位置まで移動する角度になっている。この回転角度規制は、メダル貸し出し機２の外箱20に形成された開口20Aの両側端部にガイドノズル41が当接することによりそれ以上回転しないよう調整することができる。また、貯留タンク31とメダル誘導部38との係合部分に所定の回転ストッパーを設け、回転角度を調整するようにしてもよい。
【００３１】
（遊技メダルの投入及びガイドノズル41の回動）
次に、上記構成を有するメダル貸し出し機２における、スロットマシン１への遊技メダルの供給及び前扉５開閉時のガイドノズル41の回動について説明する。
まず、図１のように、メダル投入口10へガイドノズル41をセットし、メダル貸し出し可能状態にする。このとき、ガイドノズル41のメダル排出口44は、図６（ａ）に示すように、メダル投入口10の側方スリット12cの位置と合致している。そして遊技者が紙幣投入口23へ紙幣を投入すると、メダル貸し出し機２では、紙幣カウンター24が紙幣の投入を検知してメダル払い出し装置30へメダル排出信号を送信する。メダル払い出し装置30が所定枚数（例えば、５０枚）のメダル排出信号を受けると、駆動モータ37が駆動を開始し、貯留タンク31に貯留されている遊技メダルが送り出し円板34の回転によりメダル排出口35へ一枚ずつ排出される。
【００３２】
排出された遊技メダルは、メダル排出口35と連通しているガイドノズル41の通路41aを１枚ずつ移動する。ガイドノズル41はメダル排出口35よりも下側に配置されたメダル投入口10に向かって連通しているため、移動は遊技メダルの自重によりスムーズに行われる。また、ガイドノズル41には継ぎ目がないので、途中で遊技メダルが段差に引っかかるようなトラブルもない。
そして、通路41aを移動してきたメダルは、メダル投入口10の側方スリット12cへと１枚ずつ投入される。５０枚分の投入が終わると、スロットマシン１は遊技開始可能（ベット可能状態）となる。ここで、ガイドノズル41が遊技に邪魔な場合は、図６（ｂ）のようにメダル貸し出し機２側へ移動させて遊技することができる。また、再度、メダルを借りる場合はガイドノズル41をメダル投入口10へセットし、メダル貸し出し可能状態に戻す。
【００３３】
また、スロットマシン１のメダル補給作業およびエラー発生時などの営業時間内でも比較的頻繁に行われる前扉５の開閉作業、または通常、営業時間後に行われるスロットマシン１の設定変更および入れ替え作業時にも、ガイドノズル41の移動を行い、作業の邪魔にならないようにすることができる。
このように、本実施の形態によれば、ガイドノズル41を状況に応じて容易に移動することができる。また、ガイドノズル41を回動させて位置移動させる構成としてあるため、ガイドノズル41を関節部の無い、無関節ノズルとして構成できる。これにより、メダルの詰まりおよび製造工程におけるガイドノズル41の部品点数を減少させることができ、コスト削減に効果的となる。さらに、メダル送り装置32とガイドノズル41を一体的に回動可能としたことから、メダル送り装置32のメダル排出部35とガイドノズル41のメダル受け入れ口とを固定でき、回動による位置ずれや固定の不具合などによるメダル移送トラブルやがたつきも防止できる。
【００３４】
なお、メダル送り装置32を、モータ制御により回転するように形成し、ガイドノズル41を自動的に移動させるように形成してもよい。そして、メダル貸し出し機２にはガイドノズル41の移動用のスイッチを設け、ガイドノズル41を移動させたい場合にはこのスイッチを操作してモータを駆動させ、メダル送り装置32を回転させるようにすることができる。このように形成した場合には、状態に応じて適正な位置に確実にガイドノズル41を配置することができ、ガイドノズル41を手動で動かすよりも楽である。
また、手動回転若しくは自動回転の動きを規制するロック手段を設け、スロットマシンの前扉５を開けるときなど、必要に応じて規制解除することにより、メダル送り装置32及びガイドノズル41が回動可能となるようにしてもよい。このようにすれば、悪戯してガイドノズル41を不適切な位置に移動させられたり、破損される危険性を抑制できる。
【００３５】
（メダル払い出し装置30の他の形態）
なお、上述した実施形態におけるメダル払い出し装置30の貯留タンク31は、メダル貸し出し機２に固定された固定式であるが、図１４に示すように、メダル送り装置32と一体形成して、メダル貸し出し機２に対して回転可能に形成してもよい。
具体的には、図１４に示すように、貯留タンク31を円筒状に形成し、その底部にベース33及び送り出し円板34及び駆動モータ37を取り付ける。そして、ベース33にガイドノズル41を固定し、貯留タンク31の上端部をメダル貸し出し機２内部に設けた支持板（図示せず）に回転可能に取り付けたものとすることができる。
【００３６】
メダル払い出し装置30は、ガイドノズル41を回動させることにより、ガイドノズル41と一体で、貯留タンク31の垂直方向の中心軸を中心に回動する。
このように形成すれば、メダル払い出し装置30全体を一体的に製造でき、製造工程を簡易化することができ、コストメリットに優れる。
また、メダル送り装置としては、図１３に示すようなベルト式のものを用いてもよい。この場合には、円筒状の貯留タンク31の下部にメダル送り装置50を固定し、ケース51のメダル排出部53にガイドノズル41のメダル受け入れ部が合致するよう固定し、ガイドノズル41の回動と同時にメダル送り装置50及び貯留タンク31が一体的に回動するように形成すればよい。
【００３７】
（メダル投入口10の他の形態）
なお、メダル投入口10を、図９乃至図１２に示すように形成してもよい。図９及び図１１は、投入口本体12をヒンジ13により手前側に開閉可能に形成したものである。また、図１２は、投入口本体12をガイド手段14により横方向又は前後方向にスライド可能に形成したものである。これらの場合には、ガイドノズル41の先端部44の下方にメダル排出口44を設け、ガイドノズル41がメダル投入可能位置にあるときにはメダル排出口44から排出された遊技メダルが直接メダル落下孔11に落下するように形成する。このように形成すれば、遊技メダルがスムーズに移送されるように側方スリット12cとメダル排出口44とを厳密に合致させる必要もなく、ガイドノズル41とメダル投入口10との位置あわせを容易にすることができる。
【００３８】
また、この場合には、メダル落下孔11の下方に、投入された遊技メダルを一枚ずつメダルセレクターに移送するためのメダル送り装置50を設けると好適である。メダル送り装置50は、図１３に示すように、箱形のケース51と、駆動モータ54と、この駆動モータ54により回転する二つのローラ56及び逆転ローラ57、前記ローラ56に掛け渡されたベルト55を備えるベルト式メダル送り装置である。メダル落下孔11から投入された遊技メダルは、メダル受入部52からベルト55上に落下し、ベルト55の移動及び逆転ローラ57により一枚ずつに分離されて、メダル排出部53から一枚ずつ排出されるようになっている。このように形成すれば、遊技メダルがメダル落下孔11に一枚ずつ整列投入されなくとも、メダルセレクターに一枚ずつ移送することができるので、投入口本体12を移動させメダル落下孔11を開いた状態で、入賞によりスロットマシン１の払い出しメダル皿７に払い出された遊技メダルを、メダル落下孔11にランダムに投げ入れることも可能である。
【図面の簡単な説明】
【００３９】
【図１】本発明の実施の形態であって、スロットマシン及びメダル貸し出し機の設置状態を示す斜視図である。
【図２】本発明の実施の形態であって、メダル貸し出し機の内部構造を示す斜視図である。
【図３】本発明の実施の形態であって、スロットマシン及びメダル貸し出し機の平面図である。
【図４】本発明の実施の形態であって、メダル送り装置及びガイドノズルの平面図である。
【図５】本発明の実施の形態であって、図４のＡ−Ａ線断面図である。
【図６】本発明の実施の形態であって、スロットマシン及びメダル貸し出し機の正面図である。
【図７】本発明の実施の形態であって、メダル送り装置及びガイドノズルの正面図である。
【図８】本発明の実施の形態であって、メダル投入口及びガイドノズルを示す部分拡大斜視図である。
【図９】本発明の他の実施の形態であって、メダル投入口及びガイドノズルを示す部分拡大斜視図である。
【図１０】本発明の他の実施の形態であって、メダル投入口及びガイドノズルを示す平面図である。
【図１１】本発明の他の実施の形態であって、メダル投入口の縦断面図である。
【図１２】本発明の他の実施の形態であって、メダル投入口の平面図である。
【図１３】本発明の他の実施の形態であって、メダル送り装置を示す概略図である。
【図１４】本発明の他の実施の形態であって、メダル払い出し装置の斜視図である。
【符号の説明】
【００４０】
１  スロットマシン                  ２  メダル貸し出し機
５  前扉                            ６  図柄表示窓
７  払い出しメダル皿
10  メダル投入口                    11  メダル落下孔
12  投入口本体                      12a 投入スリット
12b メダル誘導溝                    12c 側方スリット
13  ヒンジ                          14  ガイド手段
20  外箱                            22  メダル補給口
23  紙幣投入口                      24  紙幣カウンター
30  メダル払い出し装置              31  貯留タンク
32  メダル送り装置                  33  ベース
34  送り出し円板                    35  メダル排出部
36  回転軸                          37  駆動モータ
38  メダル誘導部
40  投入移送手段                    41  ガイドノズル
42  元部                            43  先端部
44  メダル排出口
50  メダル送り装置                  51  ケース
52  メダル受け入れ部                53  メダル排出部
54  駆動モータ                      55  ベルト
56  ローラ                          57  逆転ローラ
Ｃ  中心軸                          Ｐ  交点
【図１】
2005143866.tif 000003
【図２】
2005143866.tif 000004
【図３】
2005143866.tif 000005
【図４】
2005143866.tif 000006
【図５】
2005143866.tif 000007
【図６】
2005143866.tif 000008
【図７】
2005143866.tif 000009
【図８】
2005143866.tif 000010
【図９】
2005143866.tif 000011
【図１０】
2005143866.tif 000012
【図１１】
2005143866.tif 000013
【図１２】
2005143866.tif 000014
【図１３】
2005143866.tif 000015
【図１４】
2005143866.tif 000016